(57)【要約】【課題】  光源装置の取付が完了していない状態では光源が点灯しない照明器具を提供する。【解決手段】  光源装置２は、互いに接続される給電コネクタ７と受電コネクタ２３とを介して供給される電力により点灯する光源２０を有し、上記コネクタ７，２３とは別途に設けられたソケットにより支持される。また、光源装置２は、所定の操作力を受けている期間中のみ光源２０と受電コネクタ２３との電気的な接続をオンし、前記操作力が解除されると光源２０と受電コネクタ２３との電気的な接続をオフする給電スイッチ２４を備える。光源装置２を保持するソケットには、光源装置２の接続が完了した状態でのみ給電スイッチ２４をオン操作する操作部が設けられている。すなわち、光源装置２の取付が完了していない状態では、給電スイッチ２４がオフされることにより光源２０が点灯しない。【選択図】図１
2013161585.tif 000002
【特許請求の範囲】
【請求項１】
電気的な光源を保持した本体部と前記本体部を挟む両側にそれぞれ設けられた口金と前記光源への給電用の受電コネクタとを有する光源装置と、
１個ずつの前記口金が取り付けられる２個のソケットと、
前記受電コネクタに対して着脱自在に結合するとともに電気的に接続される給電コネクタと、
前記給電コネクタと各前記ソケットをそれぞれ保持した器具本体とを備え、
前記光源装置は、所定の操作力を受けている期間中のみ前記光源と前記受電コネクタとの電気的な接続をオンし、前記操作力が解除されると前記光源と前記受電コネクタとの電気的な接続をオフする給電スイッチを有し、
前記ソケットは、前記口金の少なくとも一部が導入される導入口が設けられたベースと、前記導入口における前記口金の挿抜を可能とする開位置と前記導入口からの前記口金の脱落を阻止する閉位置との間で前記ベースに対して変位自在に取り付けられたロック部材とを備え、
少なくとも一方の前記ソケットにおいて、前記ロック部材は、前記閉位置において前記給電スイッチに前記操作力を加える操作部を有することを特徴とする照明器具。
【発明の詳細な説明】
【技術分野】
【０００１】
本発明は、照明器具に関するものである。
【背景技術】
【０００２】
従来から、電気的な光源を有する光源装置と、光源装置が接続されるソケットと、光源装置に適宜の電力を出力する電源装置と上記のソケットとを保持する器具本体とを備える照明器具が提供されている。
【０００３】
上記の光源装置としては、光源としての複数個の発光ダイオードを有し、一般的な直管形の蛍光灯に準じた外形に形成された直管形ＬＥＤランプがある（例えば、特許文献１参照）。
【０００４】
さらに、上記の照明器具において、直管形の蛍光灯に対応した構造のソケットを有しながらも、ソケットとは別途に設けられたコネクタにより、電源装置と光源装置との電気的な接続を達成するものがある。上記のように別途のコネクタを用いれば、ソケットを用いて電気的な接続を達成する場合と違い、発光ダイオード用の電力が蛍光灯に出力されてしまうようなことがない。
【先行技術文献】
【特許文献】
【０００５】
【特許文献１】特開２０１１−１０８３７８号公報
【発明の概要】
【発明が解決しようとする課題】
【０００６】
上記の照明器具として、例えば図５及び図６に示すようなものがある。
【０００７】
詳しく説明すると、上記の照明器具１は、２個の口金２１を有する光源装置２と、１個ずつの口金２１が接続される２個のソケット３と、各ソケット３をそれぞれ保持する器具本体４とを備える。
【０００８】
光源装置２は、電気的な光源２０（図１２参照）を保持した円柱形状の本体部２２を有し、口金２１は本体部２２の軸方向の両端部にそれぞれ設けられている。上記の光源２０としては、例えば、発光ダイオードアレイや、有機ＥＬなどの、周知の光源を用いることができる。本体部２の外周面において器具本体４の反対側（図５での下方）へ向けられる半円筒形状の範囲は、光源２０の光を通過させるように透光性を有する材料で構成されている。以下、光源装置２に関し上下方向については図５を基準として説明する。なお、ここでいう上下方向は説明の便宜上定義するものであって、実際の使用状態での上下方向とは必ずしも一致しない。
【０００９】
各口金２１は、それぞれ、本体部２２と同軸の円柱形状であって軸方向（図５での左右方向）の一端において本体部２２に連結された基部２１１と、基部２１１の軸方向の他端面から上下に並べて互いに平行に突設された２本のピン２１２とを有する。各ピン２１２はそれぞれ円柱形状であって、一方の口金２１の各ピン２１２は、他方の口金２１の一本ずつのピン２１２に対して中心軸の位置を揃えている。さらに、本体部２２には、図７に示すように、光源への給電に用いられる雌側のコネクタ（いわゆるレセプタクル）である受電コネクタ２３が上向きに設けられている。
【００１０】
ソケット３は、図８〜図１１に示すように、器具本体４に対して固定されるベース５と、装着された光源装置２の軸周りにおいてベース５に対し回転可能に支持されたロータ６とを備える。
【００１１】
ベース５は、ロータ６を収納する収納凹部５０を有するベースボディ５１と、例えば嵌合及び凹凸係合によってベースボディ５１に結合してロータ６の脱落を阻止するベースカバー５２とからなる。収納凹部５０の内周面の円筒形状の部位とロータ６の外周面の円筒形状の部位とが互いに摺接することで、ロータ６はベース５に対して回転可能に支持されている。また、ベース５に対するロータ６の回転軸は、取り付けられた光源装置２の本体部２２の中心軸に一致する。以下、上記の回転軸に平行な方向を軸方向と呼び、上記の回転軸に直交する方向を径方向と呼ぶ。また、径方向のうち図１０（ａ）（ｂ）での上下方向（図５での上下方向）を以下では上下方向と呼び、径方向であって上下方向に直交する方向（図１０（ａ）（ｂ）での左右方向）を左右方向と呼ぶ。また、軸方向のうち、収納凹部５０が開口した方向を前方と呼び、その逆方向を後方と呼ぶ。なお、上記の方向はあくまで説明の便宜上定義するものであり、実際の使用状態での方向とは必ずしも一致しない。
【００１２】
ロータ６は、収納凹部６０を有するロータボディ６１と、収納凹部６０内に収納された一対の保持ばね６２と、例えば嵌合及び凹凸係合によってロータボディ６１に結合して保持ばね６２の脱落を阻止するロータカバー６３とからなる。
【００１３】
また、ベースボディ５１の上面には２個の結合凸部５３が左右に並べて上方に突設されている。器具本体４には４個の結合穴４１が設けられており、各ソケット３は、器具本体４に設けられた結合穴４１に結合凸部５３が嵌め込まれることで、互いの回転軸を揃えて前面同士を対向させるように器具本体４に対して位置決めされる。器具本体４に対してソケット３を固定する手段としては、嵌合やねじ止めといった周知の手段を適宜用いることができる。
【００１４】
さらに、ベースボディ５１は下方に開口して収納凹部５０に連通したピン導入口５４を有し、ベースカバー５２は前方に開口して下端においてピン導入口５４に連通するピン挿通口５５を有する。
【００１５】
また、ロータボディ６１は径方向の一方に開口して収納凹部６０に連通したピン導入口６４を有し、ロータカバー６３は前方に開口してピン導入口６４に連通するピン挿通口６５を有する。ロータ６は、ピン導入口６４をベース５のピン導入口５４に連通させる開位置と、開位置より前方から見て時計回りに９０°回転してベース５のピン導入口５４を閉塞する閉位置との間で、ベース５に対して回転可能となっている。また、ロータボディ６１において、ピン導入口５４に対し前方から見て反時計周り方向に位置する部位には、ベース５のピン導入口６４から突出して操作力を受けるハンドル６６が径方向の外向きに突設されている。ハンドル６６は、開位置においてベース５のピン導入口５４の右端に当接し、閉位置においてベース５のピン導入口５４の左端に当接する。すなわち、ベース５に対するロータ６の可動範囲は、ベース５のピン導入口５４の内面に対するハンドル６６の当接によって制限されている。
【００１６】
保持ばね６２は、開位置において回転軸を左右から挟む配置となっている。
【００１７】
光源装置２の口金２１をソケット３に接続する際には、図１０（ａ）及び図１１（ａ）に示すようにロータ６を開位置とした状態で、光源装置２のピン２１２を上下に並ぶ向きとして図１０（ａ）に矢印Ａ１で示すように下方からピン導入口５４，６４を通じて保持ばね６２間に導入する。その後、図１０（ｂ）に矢印Ａ２で示すようにロータ６を前方から見て時計回りに９０°回転させて図１０（ｂ）及び図１１（ｂ）に示す閉位置とする。このとき、ベース５に対する光源装置２の回転は、ピン挿通口５５の内面に対してピン２１２が当接することによって阻止され、ロータ６のみがベース５及び光源装置２に対して回転する。すると、２個の保持ばね６２が１本ずつのピン２１２に対し上下の互いに異なる側から弾接する形となる。ここにおいて、ピン２１２がピン挿通口５５，６５に挿通された状態でソケット３からの口金２１（ピン２１２）の脱落は阻止され、ソケット３への口金２１の取付が完了する。すなわち、上記のソケット３においては、光源装置２自体を一切回転させることなく、取付を完了することができる。また、各保持ばね６２には、それぞれ、ピン２１２が嵌まる凹部を保持ばね６２間に構成する膨出部６２１が設けられており、この膨出部６２１が構成する凹部にピン２１２が嵌まることにより、ソケット３に対する光源装置２のがたつきが抑えられる。
【００１８】
ここで、上記の光源装置２への給電には、ピン２１２ではなく、受電コネクタ２３が用いられる。すなわち、器具本体４には、図１２及び図１３に示すように、光源を点灯させる電力を生成する電源装置４０と、図示しない電線を介して電源装置４０に電気的に接続され受電コネクタ２３に挿入接続される雄側のコネクタ（いわゆるプラグ）である給電コネクタ７が保持されている。電源装置４０は、外部の交流電源８から入力された交流電力を適宜電圧の直流電力に変換する電気回路であり、このような電源装置４０は周知の直流電源回路を用いて実現可能であるから詳細な図示並びに説明は省略する。給電コネクタ７は、角柱形状の本体部７１と、本体部７１の下方に突設されて受電コネクタ２３に挿入される接続部７２と、本体部７１の上端部において外向きに突設されて上下に対向する２個の鍔部７３，７４とを有する。給電コネクタ７と受電コネクタ２３とは、上記の接続部７２が受電コネクタ２３に挿入されたときに互いに接触導通する金属製のコンタクト（図示せず）を有しており、上記の接触導通によって電気的な接続が達成される。
【００１９】
器具本体４には、図６に示すように、下側の鍔部７３を挿通可能であって上側の鍔部７４を挿通不可能な大幅部４２１と、大幅部４２１に連通して下側の鍔部７３を挿通不可能な小幅部４２２とを有するダルマ穴４２が設けられている。すなわち、給電コネクタ７を器具本体４に取りつける際には、給電コネクタ７において上側の鍔部７４よりも下側の部位を上方から大幅部４２１に挿通したあと、給電コネクタ７を小幅部４２２に平行移動させる。すると、小幅部４２２の縁部を鍔部７３，７４間に挟む形で、給電コネクタ７が器具本体４に保持される。
【００２０】
給電コネクタ７は、光源装置２がソケット３に接続される際、ピン２１２がソケット３のピン導入口５４，６４に導入されるのと同時に受電コネクタ２３に接続される。
【００２１】
しかしながら、上記の照明器具１においては、光源装置２を取り付ける際、給電コネクタ７に通電された状態で受電コネクタ２３の接続が行われると、光源装置２が点灯してしまい、ソケット３への保持が完了していなくても作業者が誤って手を離してしまう可能性があった。
【００２２】
本発明は、上記事由に鑑みて為されたものであり、その目的は、光源装置の取付が完了していない状態では光源が点灯しない照明器具を提供することにある。
【課題を解決するための手段】
【００２３】
本発明の照明器具は、電気的な光源を保持した本体部と前記本体部を挟む両側にそれぞれ設けられた口金と前記光源への給電用の受電コネクタとを有する光源装置と、１個ずつの前記口金が取り付けられる２個のソケットと、前記受電コネクタに対して着脱自在に結合するとともに電気的に接続される給電コネクタと、前記給電コネクタと各前記ソケットをそれぞれ保持した器具本体とを備え、前記光源装置は、所定の操作力を受けている期間中のみ前記光源と前記受電コネクタとの電気的な接続をオンし、前記操作力が解除されると前記光源と前記受電コネクタとの電気的な接続をオフする給電スイッチを有し、前記ソケットは、前記口金の少なくとも一部が導入される導入口が設けられたベースと、前記導入口における前記口金の挿抜を可能とする開位置と前記導入口からの前記口金の脱落を阻止する閉位置との間で前記ベースに対して変位自在に取り付けられたロック部材とを備え、少なくとも一方の前記ソケットにおいて、前記ロック部材は、前記閉位置において前記給電スイッチに前記操作力を加える操作部を有することを特徴とする。
【発明の効果】
【００２４】
本発明によれば、通電された状態の給電コネクタが受電コネクタに接続されても、ロック部材が未だ開位置であって光源装置の取付が完了していない状態では、給電スイッチがオンされないことで光源が点灯しない。従って、光源装置の取付が完了していない状態で作業者が誤って光源装置から手を離してしまうという事態が発生しにくい。
【図面の簡単な説明】
【００２５】
【図１】本発明の実施形態を示す回路ブロック図である。
【図２】同上の要部を示す分解斜視図である。
【図３】同上のソケットにおいてロータが閉位置にある状態を示す正面図である。
【図４】同上のロータカバーを示す正面図である。
【図５】照明器具の一例を示す正面図である。
【図６】同上を示す分解斜視図である。
【図７】同上の光源装置の要部を示す斜視図である。
【図８】同上のソケットを示す斜視図である。
【図９】同上のソケットを示す分解斜視図である。
【図１０】（ａ）（ｂ）はそれぞれ同上のソケットを示す正面図であり、（ａ）はロータが開位置にある状態を示し、（ｂ）はロータが閉位置にある状態を示す。
【図１１】（ａ）（ｂ）はそれぞれ同上の要部を示す斜視図であり、（ａ）はロータが開位置にある状態を示し、（ｂ）はロータが閉位置にある状態を示す。
【図１２】同上を示す回路ブロック図である。
【図１３】同上の要部を示す斜視図である。
【発明を実施するための形態】
【００２６】
以下、本発明を実施するための最良の形態について、図面を参照しながら説明する。
【００２７】
本実施形態の基本構成は従来例と共通であるので、異なる部分についてのみ説明する。
【００２８】
まず、光源装置２は、図１に示すように、光源２０（例えば発光ダイオードアレイ）と受電コネクタ２３との間の通電をオンオフする給電スイッチ２４を備える。給電スイッチ２４は、図２に示すように、一方の口金２１から軸方向に突出するハンドル２４１を有しており、このハンドル２４１において下方への押力を受けている期間中にのみオンされ、上記の押力が解除されるとオフ状態に復帰する。上記のような給電スイッチ２４は周知技術で実現可能であるので、詳細な図示並びに説明は省略する。
【００２９】
また、図３及び図４に示すように、ソケット３においては、ロック部材としてのロータ６（ロータカバー６３）のピン挿通口６５の内周面に操作部としての押圧凸部６７が突設されている。押圧凸部６７は、開位置では上記のハンドル２４１に接触せず、且つ、閉位置では上記のハンドル２４１を下方へ押圧して給電スイッチ２４をオンさせるような、配置及び寸法形状とされている。
【００３０】
なお、図３ではベース５のピン挿通口５５は押圧凸部６７の下方に開放されていないが、実際には、押圧凸部６７によって押圧されるべきハンドル２４１はピン挿通口５５に下方から導入される必要があるので、ピン挿通口５５及びピン導入口５４はそれぞれ前方から見て押圧凸部６７（閉位置）の下方に開放された形状とされる。または、給電スイッチ２４のハンドル２４１の先端部のみを図２での左方（図３での右方）に突出させ、この突出した部位が押圧凸部６７によって押圧されるようにしてもよい。
【００３１】
また、給電スイッチ２４の復帰力によって押圧凸部６７が閉位置から押し戻されてしまうことがないように、例えば保持ばね６２のばね力は十分に強くされる。また、給電スイッチ２４の復帰力によって押圧凸部６７が押し戻されることを防ぐために、閉位置において互いに係合する凹凸をベース５の内周面とロータ６の外周面とに設けてもよい。
【００３２】
上記構成によれば、通電された状態の給電コネクタ７が受電コネクタ２３に接続されても、ロータ６（ロック部材）が未だ開位置であって光源装置２の取付が完了していない状態では、給電スイッチ２４がオンされないことで光源２０が点灯しない。従って、光源装置２の取付が完了していない状態で作業者が誤って光源装置２から手を離してしまうという事態が発生しにくい。
【００３３】
ここで、実施形態においては給電コネクタ７が雄側（プラグ）であって受電コネクタ２３が雌側（レセプタクル）であるが、雌雄を逆にして受電コネクタ２３を雄側としてもよく、また、雌雄の区別がないコネクタを用いてもよい。
【符号の説明】
【００３４】
１  照明器具
２  光源装置
３  ソケット
４  器具本体
５  ベース
６  ロータ（ロック部材）
７  給電コネクタ
２１  口金
２２  本体部
２３  受電コネクタ
２４  給電スイッチ
５４  ピン導入口（導入口）
６７  押圧凸部（操作部）
【図１】
2013161585.tif 000003
【図２】
2013161585.tif 000004
【図３】
2013161585.tif 000005
【図４】
2013161585.tif 000006
【図５】
2013161585.tif 000007
【図６】
2013161585.tif 000008
【図７】
2013161585.tif 000009
【図８】
2013161585.tif 000010
【図９】
2013161585.tif 000011
【図１０】
2013161585.tif 000012
【図１１】
2013161585.tif 000013
【図１２】
2013161585.tif 000014
【図１３】
2013161585.tif 000015